(57)【要約】【課題】指環部を備えた第１及び第２の刃体を基部の平坦部において枢軸により回動自在に軸着し、かつ指環部側の平坦部に触点を設け、該触点を互いに摺接させながら鋏を開閉操作することにより頭髪の切断を行う理髪用鋏であって、鋏先端部分や鋏根元部分での頭髪の切断を切れ味よく行うことができるようにする。【解決手段】第１の刃体１２と第２の刃体１４には、枢軸２１より指環部１１、１３側の平坦部１５、１７に第1の触点２４と第２の触点２５を、第１の触点２４はほぼ直線状をなして枢軸２１近くに、第２の触点２５は円弧状をなして枢軸２１より離れた箇所に設ける。各触点２４及び２５は、少なくとも表面がテフロン加工されて低摩擦係数で、耐摩耗性とされる。そして第２の触点２５は第１の触点２４より高く形成され、第２の触点同士が接触した状態で第１の触点同士は接触しないようにされる。【選択図】図３
2011217831.tif 000002
【特許請求の範囲】
【請求項１】
指環部を備えた第１及び第２の刃体を基部の平坦部において枢軸により回動自在に軸着し、かつ前記指環部側の平坦部に触点を設け、該触点を互いに摺接させながら鋏を開閉操作することにより頭髪の切断を行う理髪用鋏であって、前記触点が前記枢軸に近い第１の触点と、枢軸から遠い第２の触点からなり、鋏を大きく開いた状態から閉じるときに、第１の触点同士の接触から第２の触点同士への接触に移行することを特徴とする理髪用鋏。
【請求項２】
第２の触点同士が接触するときには第１の触点同士が接触しないように、第２の触点は第１の触点より平坦部上に高く突出して形成され、しかも両刃体のうち、少なくとも一方の刃体に形成される第２の触点の一端部はテーパに形成され、鋏を閉じる際、第１の触点同士の接触から第２の触点同士の接触に移行するとき、一方の触点が他方の触点の前記テーパに係合することを特徴とする請求項１記載の理髪用鋏。
【発明の詳細な説明】
【技術分野】
【０００１】
本発明は、理容院や美容院で使用される理髪用鋏に関する。
【背景技術】
【０００２】
理髪用鋏は一般に図１に示すように、指環部１、２を備えた刃体３、４を基部の平坦部６、７において枢軸７により回動自在に軸着した構成を有しており、各刃体３、４はそれぞれ平坦部６、７から先端に向かって互いに近接する方向に湾曲し、刃体３から突出する枢軸８の突出端に捩じ込んだナット９の捩じ込みにより撓んで鋏先端部を圧着させ、かつ峰から切刃に向かう幅方向に捩りを持たせることで切刃同士が確実に噛み合うようにしている。
【０００３】
上記刃体３、４の平坦部６、７には、指環部側に触点１０が設けられ、刃体３、４の触点１０を互いに摺接させながら鋏を開閉操作することで頭髪の切断を行うようになっている。下記特許文献１に、こうした理髪用鋏の一例が開示されている。
【先行技術文献】
【特許文献】
【０００４】
【特許文献１】実願平５−４１２９４号（実開平７−５５６４号）のＣＤ−ＲＯＭ
【発明の概要】
【発明が解決しようとする課題】
【０００５】
理髪用鋏では、刃体は上述するように枢軸の両側で噛み合う刃先と指環部寄りの触点とによって支持され、ナットの捩じ込みにより触点と噛み合う刃先に圧着力が付与されるが、触点の方が枢軸に近いため、触点での圧着力の方が刃先での圧着力より大となる。触点を枢軸に近付ける程、刃先での圧着力が小さくなる。切れ味を向上させるには、刃先同士の圧着力（以下、接触圧という）を高める必要があるが、ナットの捩じ込みにより刃先同士の接触圧を高めると、触点での接触圧が大きくなり過ぎ、鋏を軽快に開閉するのが困難になる。
【０００６】
触点を枢軸より遠ざければ、触点での接触圧は同じでも刃先同士の接触圧を高め、切れ味を向上させることができるが、鋏を開くにつれ、触点同士の接触長さが短くなり、刃体のガタ付きが生じ易くなる。この問題に対処するため、理（美）容師は指環部に差し込む指先操作で一方の刃体を捏ねるように操作しながら、その刃先を他方の刃先に押付けて開閉するようにしており、その結果、枢軸側方部分の磨耗を招いている。
【０００７】
理髪用鋏にはまた右利き用の鋏と、左利き用の鋏があり、右利きの理（美）容師が左利き用の鋏を用いて刃体を捏ねるように操作すると、刃先が浮いて切れ味を極端に損なうようになる。
【０００８】
本発明は、上記の問題を解消し、鋏先端部分や鋏根元部分での頭髪の切断を切れ味よく行うことができる理髪用鋏を提供することを目的とする。
【課題を解決するための手段】
【０００９】
請求項１に係わる発明は、指環部を備えた第１及び第２の刃体を基部の平坦部において枢軸により回動自在に軸着し、かつ指環部側の平坦部に触点を設け、該触点を互いに摺接させながら鋏を開閉操作することにより頭髪の切断を行う理髪用鋏であって、前記触点が前記枢軸に近い第１の触点と、枢軸から遠い第２の触点からなり、鋏を大きく開いた状態から閉じるときに、第１の触点同士の接触から第２の触点同士への接触に移行することを特徴とし、
請求項２に係わる発明は、請求項１に係わる発明において、第２の触点同士が接触するときには第１の触点同士が接触しないように、第２の触点は第１の触点より平坦部上に高く突出して形成され、しかも両刃体のうち、少なくとも一方の刃体に形成される第２の触点の一端部はテーパに形成され、鋏を閉じる際、第１の触点同士の接触から第２の触点同士の接触に移行するとき、一方の触点が他方の触点の前記テーパに係合することを特徴とする。
【発明の効果】
【００１０】
請求項１に係わる発明によると、鋏を大きく開いて鋏根元部分で頭髪の切断を行うときには、両刃体の第１の触点同士が接触し、第２の触点同士が接触しないか、該接触が不十分であっても刃体のガタ付きを解消することができ、刃体を捏ねるように操作しなくてもよいこと、第１の触点は枢軸に近いが、鋏を大きく開いたときの刃先同士の接触箇所も枢軸に近いため、刃先同士の接触圧が十分に確保されることなどにより切れ味よく頭髪の切断を行うことができる。また刃体を捏ねなくても切れ味よく切断できるため、右利きの人が左利き用の鋏を用い、或いは逆に左利きの人が右利きの鋏を用いても切れ味を損なうことなく、頭髪の切断を行うことができる。
【００１１】
鋏を開いた状態から閉じる方向に動かすと、第１の触点同士の接触から第２の触点同士の接触に移行するが、第２の触点は第１の触点よりも枢軸から遠く、しかも高いため、刃先同士が押し付け合って接触圧を十分に確保することができ、切れ味よく切断を行うことができる。
【００１２】
請求項２に係わる発明によると、第２の触点の一端部をテーパに形成することにより、第１の触点同士の接触から第２の触点同士の接触への移行がスムースに、かつ確実に行える。
【図面の簡単な説明】
【００１３】
【図１】従来の理髪用鋏の平面図。
【図２】本発明に係わる理髪用鋏を構成する両刃体の内側部分の平面図。
【図３】枢軸及び触点での断面図。
【図４】鋏を開いた状態を示す平面図。
【図５】第２の触点同士が接合する前の状態を示す模式図。
【図６】第２の触点同士が係合した状態を示す模式図。
【図７】第２の触点同士が接合した状態を示す模式図。
【図８】鋏の先端側で切断するときの状態を示す平面図。
【発明を実施するための形態】
【００１４】
以下、本発明の実施形態の理髪用鋏について図面により説明する。
図２は、指環部１１を備えた第１の刃体１２と、同じく指環部１３を備えた第２の刃体１７についてそれぞれその内側面を示すもので、第１の刃体１２の基部の平坦部１５には角孔１６が、第２の刃体１４の基部の平坦部１７には丸孔１８がそれぞれ形成されている。そして両刃体１２及び１４は図３に示すように、断面が四角形の角部２１ａと円形断面の軸部２１ｂを備えた枢軸２１の前記角部２１ａを第１の刃体１２の角孔１６に嵌合させたのち、第２の刃体１４の丸孔１８を前記軸部21ｂに嵌合させ、ついで第２の刃体１４より突出する枢軸２１の図示しないネジ部にナット２２を捩じ込んで第１の刃体１２は枢軸２１と回転不可に、第２の刃体１４は枢軸２１に回転自在に連結されている。
【００１５】
第１の刃体１２と第２の刃体１４にはまた、枢軸２１より指環部１１、１３側の平坦部１５、１７にそれぞれ小幅の第1の触点２４と第２の触点２５を、第１の触点２４はほぼ直線状をなして枢軸２１近くに、第２の触点２５は曲率中心が枢軸側に位置する円弧状をなして枢軸２１より離れた箇所に設けられている。上述する第１の触点２４は、その全部又は一部が枢軸２１を中心とする円弧状となっていてもよい。
【００１６】
前記各触点２４及び２５は、刃体１２及び１４に形成される円弧状の凹溝に装着して固定され、少なくとも表面が例えばテフロン(登録商標）加工されて低摩擦係数で、耐摩耗性とした触片で形成されている。この触片は、表面が低摩擦係数で、耐磨耗性を有していればよく、鋼の表面に例えばテフロン(登録商標）加工して形成してもよいし、全体を低摩擦係数で、耐磨耗性を有する材料で形成してもよい。
【００１７】
そして図３に示すように、第１の触点２４は平坦部１５と面一をなすか、これより僅かに（例えば０．１ｍｍ以下）突出して形成される一方、第２の触点２５は第１の触点２５より高く（例えば０．１ｍｍ以上）形成され、第２の触点同士が接触した図３の状態において、第１の触点同士は接触しないようにしてある。
【００１８】
図４は、鋏を開いた状態を示すもので、この状態では第１の融点同士は接触しているが、第２の触点同士は離れて非接触状態となっている。第２の触点同士は接触していなくても第１の触点同士が接触していることにより、刃体１２、１４のガタ付きが生じにくく、また第１の触点２４が枢軸２１に近くてもａ点で示す刃先同士の接触箇所も枢軸２１に近いため、ａ点での接触圧が十分に確保され、鋏根元部分での頭髪の切断を切れ味よく行うことができる。
【００１９】
図４の状態より鋏を閉じる方向に刃体１２、１４を動かすと、第１の触点同士が摺接しながら閉じられ、鋏を更に閉じると、図３に示すように第２の触点同士が接触し、第１の触点同士の接触から第２の触点同士への接触に移行する。
【００２０】
この移行をスムースに行うために、第１の刃体１２の第２の触店２５の端部は図５〜図７に示すようにテーパ２５ａに形成され、鋏を閉じるのに伴い第２の刃体１４の第２の触点２５が図５の矢印方向に移動して、前記テーパに係合し（図６）、第１の刃体１２の第２の触点２５に乗り上げるようになっている（図７）。上記と逆に第２の刃体１４の第２の触点２５の端部をテーパに形成し、該テーパが移動して第１の刃体１２の触点２５の端部に係合するようにしてもよい。
【００２１】
図８は、鋏先端部で切断が行われるときの状態を示すもので、第２の触点２５は、その大部分が接触していることにより刃体１２、１４のガタ付きを生じることはなく、また第２の触点は第1の触点２４よりも枢軸２１から離れ、しかも高いため、刃先同士が接触するｂ点での接触圧が十分に確保され、直鋏と称される鋏先端部を小刻みに動かす頭髪の切断を切れ味よく行うことができる。
【００２２】
前記実施形態では、第１及び第２の触点２４及び２５はそれぞれ刃体１２、１４に形成される凹溝に嵌着して固定される触片で形成されているが、刃体１２、１４に加工して一体形成することもできる。
【００２３】
また図示する第１の触点２４は刃体１２、１４の幅方向全体にわたって形成されているが、第２の触点同士の接触に移行すれば、必要ないため、鋏を開いたときに接合する箇所の幅方向の一部のみに形成してもよい。
【符号の説明】
【００２４】
１１、１３・・指環部
１２・・第１の刃体
１４・・第２の刃体
１５、１７・・平坦部
１６・・角孔
１８・・丸孔
２１・・枢軸
２２・・ナット
２４・・第１の触点
２５・・第２の触点
【図１】
2011217831.tif 000003
【図２】
2011217831.tif 000004
【図３】
2011217831.tif 000005
【図４】
2011217831.tif 000006
【図５】
2011217831.tif 000007
【図６】
2011217831.tif 000008
【図７】
2011217831.tif 000009
【図８】
2011217831.tif 000010